【手続補正書】
【提出日】平成30年3月28日(2018.3.28)
【手続補正１】
【補正対象書類名】明細書
【補正対象項目名】００３４
【補正方法】変更
【補正の内容】
【００３４】
さて、理解されるべきは、本開示において開示された実施形態が、状況環境情報を提供するためのシステム、方法、及び、非一時的なコンピュータ可読媒体を含む、ということにある。これらの実施形態が単なる例示目的であり、本開示の範囲を制限することを意図するものではない、ことも理解されるべきである。
本開示は以下を含む。
［構成１］
状況環境情報を提供する方法であって、
環境内の複数のオブジェクトを検出することと、
前記環境内の前記複数のオブジェクトの少なくとも一部を識別することと、
前記複数のオブジェクトに対するユーザの位置を決定することと、
前記ユーザの特性に基づいて、前記ユーザに提供するアラートの所望の数を決定することと、
前記アラートの所望の数が前記環境内で検出されたオブジェクトの数よりも少ないと判別したことに応答して、前記ユーザに対する前記複数のオブジェクトのサブセットの位置に関連するデータを提供することと、
を含む、方法。
［構成２］
前記複数の物体を検出することが、測位システム受信機、近距離通信デバイス、Ｂｌｕｅｔｏｏｔｈ（登録商標）デバイス、レーザデバイス、無線周波数（ＲＦ）デバイス、及び、ワイヤレスフィデリティ（Ｗｉ−Ｆｉ）デバイスのうちの少なくとも１つを利用することを含む、構成１に記載の方法。
［構成３］
前記複数のオブジェクトの前記サブセットの位置に関連するデータを提供することが、音声アラート、視覚アラート、及び、振動アラートのうちの少なくとも１つを提供することを含む、構成１に記載の方法。
［構成４］
前記ユーザに提供される前記アラートの優先順位を決定するためのオプションを提供することをさらに含む、構成１に記載の方法。
［構成５］
前記ユーザに提供する前記アラートの所望の数を決定するためのオプションを提供することをさらに含む、構成１に記載の方法。
［構成６］
前記アラートの優先順位が、ユーザ選択、ユーザスタディ、クラウドソーシング、及び、過去のユーザアクションのうちの少なくとも１つに基づいて決定される、構成１に記載の方法。
［構成７］
前記アラートの所望の数が、ユーザ選択、ユーザスタディ、クラウドソーシング、及び、過去のユーザアクションのうちの少なくとも１つに基づいて決定される、構成１に記載の方法。
［構成８］
状況環境情報を提供することを用いるためのシステムであって、
ロジックを記憶するメモリコンポーネントであって、前記ロジックは、プロセッサによって実行されると、前記システムに少なくとも、
環境内の複数のオブジェクトを検出することと、
前記環境内の前記複数のオブジェクトの少なくとも一部を識別することと、
前記複数のオブジェクトに対するユーザの位置を決定することと、
ユーザの特性に基づいて、ユーザに提供するアラートの所望の数を決定することと、
前記所望の数のアラートを提供するための優先順位を決定することと、
前記アラートの所望の数が前記環境内で検出されたオブジェクトの数よりも少ないと判別したことに応答して、前記複数のオブジェクトのサブセットの位置に関連するデータを前記優先順位に従って提供することと、
を行わせる、メモリコンポーネント、
を備える、システム。
［構成９］
前記複数の物体を検出することが、測位システム受信機、近距離通信デバイス、Ｂｌｕｅｔｏｏｔｈ（登録商標）デバイス、レーザデバイス、無線周波数（ＲＦ）デバイス、及び、ワイヤレスフィデリティ（Ｗｉ−Ｆｉ）デバイスのうちの少なくとも１つを利用することを含む、構成８に記載のシステム。
［構成１０］
前記複数のオブジェクトの前記サブセットの位置に関連するデータを提供することが、音声アラート、視覚アラート、及び、振動アラートのうちの少なくとも１つを提供することを含む、構成９に記載のシステム。
［構成１１］
前記ロジックがさらに、前記システムに、前記ユーザに提供されるアラートの前記優先順位を決定するためのオプションを提供させる、構成８に記載のシステム。
［構成１２］
前記ロジックがさらに、前記システムに、前記ユーザに提供する前記アラートの所望の数を決定するためのオプションを提供させる、構成８に記載のシステム。
［構成１３］
前記優先順位が、ユーザ選択、ユーザスタディ、クラウドソーシング、及び、過去のユーザアクションのうちの少なくとも１つに基づいて決定される、構成８に記載のシステム。
［構成１４］
前記ロジックがさらに、前記システムに、少なくとも１つのユーザコンピューティングデバイスと通信させて、前記優先順位、前記環境内の前記複数のオブジェクトの少なくとも１つの識別、及び、前記環境内の前記複数のオブジェクトの少なくとも１つの認識、のうちの少なくとも１つを決定させる、構成８に記載のシステム。
［構成１５］
状況環境情報を提供するためのコンピューティングデバイスであって、
環境内のオブジェクトを検出するためのセンサと、
前記センサに結合された出力デバイスであって、状況環境情報を出力するための出力デバイスと、
ロジックを記憶するメモリコンポーネントであって、前記ロジックは、前記コンピューティングデバイスによって実行されると、前記コンピューティングデバイスに少なくとも、
前記環境内の複数のオブジェクトを検出するために前記センサを利用することと、
前記環境内の前記複数のオブジェクトの少なくとも一部を識別することと、
前記複数のオブジェクトに対するユーザの位置を決定することと、
前記ユーザの特性に基づいて、前記ユーザに提供するアラートの所望の数を決定することと、
前記アラートの所望の数が前記環境内で検出されたオブジェクトの数よりも少ないと判別したことに応答して、前記ユーザに対する前記複数のオブジェクトのサブセットの位置に関連するデータをあらかじめ定められた優先順位に従って提供するために前記出力デバイスを利用することと、
を行わせる、メモリコンポーネントと、
を備える、コンピューティングデバイス。
［構成１６］
前記複数のオブジェクトを検出することが、測位システム受信機、近距離通信デバイス、Ｂｌｕｅｔｏｏｔｈ（登録商標）デバイス、レーザデバイス、無線周波数（ＲＦ）デバイス、及び、ワイヤレスフィデリティ（Ｗｉ−Ｆｉ）デバイスのうちの少なくとも１つを利用することを含む、構成１５に記載のコンピューティングデバイス。
［構成１７］
前記ロジックがさらに、前記コンピューティングデバイスに、前記あらかじめ定められた優先順位を決定するためのオプションを提供させる、構成１５に記載のコンピューティングデバイス。
［構成１８］
前記出力デバイスは、音声出力デバイス、視覚ディスプレイデバイス、及び、振動出力デバイスのうちの少なくとも１つを備える、構成１５に記載のコンピューティングデバイス。
［構成１９］
前記ロジックがさらに、前記コンピューティングデバイスに、前記ユーザに提供する前記アラートの所望の数を決定するためのオプションを提供させる、構成１５に記載のコンピューティングデバイス。
［構成２０］
前記あらかじめ定められた優先順位が、ユーザ選択、ユーザスタディ、及び、過去のユーザアクションのうちの少なくとも１つに基づいて決定される、構成１５に記載のコンピューティングデバイス。
【手続補正２】
【補正対象書類名】特許請求の範囲
【補正対象項目名】全文
【補正方法】変更
【補正の内容】
【特許請求の範囲】
【請求項１】
状況環境情報を提供する方法であって、
環境内の複数のオブジェクトを検出することと、
前記環境内の前記複数のオブジェクトの少なくとも一部を識別することと、
前記複数のオブジェクトに対するユーザの位置を決定することと、
前記ユーザの特性に基づいて、前記ユーザに提供するアラートの所望の数を決定することと、
前記アラートの所望の数が前記環境内で検出されたオブジェクトの数よりも少ないと判別したことに応答して、前記ユーザに対する前記複数のオブジェクトのサブセットの位置に関連するデータを提供することと、
を含む、方法。
【請求項２】
前記複数のオブジェクトの前記サブセットの位置に関連するデータを提供することが、音声アラート、視覚アラート、及び、振動アラートのうちの少なくとも１つを提供することを含む、請求項１に記載の方法。
【請求項３】
前記ユーザに提供される前記アラートの優先順位を決定するためのオプションを提供することをさらに含む、請求項１に記載の方法。
【請求項４】
前記ユーザに提供するアラートの所望の数を決定するためのオプションを提供することをさらに含む、請求項１に記載の方法。
【請求項５】
前記アラートの優先順位が、ユーザ選択、ユーザスタディ、クラウドソーシング、及び、過去のユーザアクションのうちの少なくとも１つに基づいて決定される、請求項１に記載の方法。
【請求項６】
前記アラートの所望の数が、ユーザ選択、ユーザスタディ、クラウドソーシング、及び、過去のユーザアクションのうちの少なくとも１つに基づいて決定される、請求項１に記載の方法。
【請求項７】
状況環境情報を提供することを用いるためのシステムであって、
ロジックを記憶するメモリコンポーネントであって、前記ロジックは、プロセッサによって実行されると、前記システムに少なくとも、
環境内の複数のオブジェクトを検出することと、
前記環境内の前記複数のオブジェクトの少なくとも一部を識別することと、
前記複数のオブジェクトに対するユーザの位置を決定することと、
ユーザの特性に基づいて、ユーザに提供するアラートの所望の数を決定することと、
前記所望の数のアラートを提供するための優先順位を決定することと、
前記アラートの所望の数が前記環境内で検出されたオブジェクトの数よりも少ないと判別したことに応答して、前記複数のオブジェクトのサブセットの位置に関連するデータを前記優先順位に従って提供することと、
を行わせる、メモリコンポーネント、
を備える、システム。
【請求項８】
前記複数の物体を検出することが、測位システム受信機、近距離通信デバイス、Ｂｌｕｅｔｏｏｔｈ（登録商標）デバイス、レーザデバイス、無線周波数（ＲＦ）デバイス、及び、ワイヤレスフィデリティ（Ｗｉ−Ｆｉ）デバイスのうちの少なくとも１つを利用することを含む、請求項７に記載のシステム。
【請求項９】
前記複数のオブジェクトの前記サブセットの位置に関連するデータを提供することが、音声アラート、視覚アラート、及び、振動アラートのうちの少なくとも１つを提供することを含む、請求項８に記載のシステム。
【請求項１０】
前記ロジックがさらに、前記システムに、前記ユーザに提供されるアラートの前記優先順位を決定するためのオプションを提供させる、請求項７に記載のシステム。
【請求項１１】
前記ロジックがさらに、前記システムに、前記ユーザに提供する前記アラートの所望の数を決定するためのオプションを提供させる、請求項７に記載のシステム。
【請求項１２】
前記優先順位が、ユーザ選択、ユーザスタディ、クラウドソーシング、及び、過去のユーザアクションのうちの少なくとも１つに基づいて決定される、請求項７に記載のシステム。
【請求項１３】
前記ロジックがさらに、前記システムに、少なくとも１つのユーザコンピューティングデバイスと通信させて、前記優先順位、前記環境内の前記複数のオブジェクトの少なくとも１つの識別、及び、前記環境内の前記複数のオブジェクトの少なくとも１つの認識、のうちの少なくとも１つを決定させる、請求項７に記載のシステム。
【請求項１４】
状況環境情報を提供するためのコンピューティングデバイスであって、
環境内のオブジェクトを検出するためのセンサと、
前記センサに結合された出力デバイスであって、状況環境情報を出力するための出力デバイスと、
ロジックを記憶するメモリコンポーネントであって、前記ロジックは、前記コンピューティングデバイスによって実行されると、前記コンピューティングデバイスに少なくとも、
前記環境内の複数のオブジェクトを検出するために前記センサを利用することと、
前記環境内の前記複数のオブジェクトの少なくとも一部を識別することと、
前記複数のオブジェクトに対するユーザの位置を決定することと、
前記ユーザの特性に基づいて、前記ユーザに提供するアラートの所望の数を決定することと、
前記アラートの所望の数が前記環境内で検出されたオブジェクトの数よりも少ないと判別したことに応答して、前記ユーザに対する前記複数のオブジェクトのサブセットの位置に関連するデータをあらかじめ定められた優先順位に従って提供するために前記出力デバイスを利用することと、
を行わせる、メモリコンポーネントと、
を備える、コンピューティングデバイス。
【請求項１５】
前記ロジックがさらに、前記コンピューティングデバイスに、少なくとも、
前記あらかじめ定められた優先順位を決定するためのオプションを提供することと、
前記ユーザに提供する前記アラートの所望の数を決定するためのオプションを提供することと、
を行わせる、請求項１４に記載のコンピューティングデバイス。